(57)【特許請求の範囲】
【請求項１】
第１現像剤により第１潜像を現像する第１画像形成ユニットと、
前記第１現像剤よりも軟化温度が低く、前記第１現像剤と比べて低彩色または高光透過性の第２現像剤により第２潜像を現像する第２画像形成ユニットと、
前記第１画像形成ユニットによって前記第１潜像が現像されることにより形成された第１現像剤像と、前記第２画像形成ユニットによって前記第２潜像が現像されることにより形成された第２現像剤像とを媒体に転写する転写部と、
前記媒体の種類に応じて、前記第２現像剤像の量を制御する制御部と、
前記第２現像剤像、前記第１現像剤像の順に積層された積層現像剤像を前記媒体に定着させる定着部と、
前記第１現像剤像の光沢度に対応するモードの入力を受け付ける操作部と
を備え、
前記制御部は、
前記定着部の定着温度と、前記第２現像剤の量とを制御し、
第１光沢度に対応する第１モードを受け付けた場合は、前記定着温度を第１定着温度に設定し、
前記第１光沢度よりも高い光沢度である第２光沢度に対応する第２モードを受け付けた場合は、前記定着温度を、前記第１定着温度よりも高い第２定着温度に設定し、
前記第１モードにおいても前記第２モードにおいても、前記第２画像形成ユニットによって、前記第２現像剤像を形成し、
前記第１モードを受け付けた場合の前記第２現像剤の量を、前記第２モードを受け付けた場合の前記第２現像剤の量よりも多くする
画像形成装置。
【請求項２】
第１現像剤により第１潜像を現像する第１画像形成ユニットと、
前記第１現像剤よりも軟化温度が低く、前記第１現像剤と比べて低彩色または高光透過性の第２現像剤により第２潜像を現像する第２画像形成ユニットと、
前記第１画像形成ユニットによって前記第１潜像が現像されることにより形成された第１現像剤像と、前記第２画像形成ユニットによって前記第２潜像が現像されることにより形成された第２現像剤像とを媒体に転写する転写部と、
前記第２現像剤像、前記第１現像剤像の順に積層された積層現像剤像を前記媒体に定着させる定着部と、
前記定着部の定着温度と、前記第２現像剤の量とを制御する制御部と、
前記第１現像剤像の光沢度に対応するモードの入力を受け付ける操作部と
を備え、
前記制御部は、
第１光沢度に対応する第１モードを受け付けた場合は、前記定着温度を第１定着温度に設定し、
前記第１光沢度よりも高い光沢度である第２光沢度に対応する第２モードを受け付けた場合は、前記定着温度を、前記第１定着温度よりも高い第２定着温度に設定し、
前記第１モードにおいても前記第２モードにおいても、前記第２画像形成ユニットによって、前記第２現像剤像を形成し、
前記第１モードを受け付けた場合の前記第２現像剤の量を、前記第２モードを受け付けた場合の前記第２現像剤の量よりも多くする
画像形成装置。
【請求項３】
前記操作部は、前記媒体の種類の設定を受け付け、
前記制御部は、前記操作部で前記第１モードを受け付けるとともに前記媒体の種類の設定を受け付けた場合には、前記操作部で受け付けた前記媒体の種類に応じて前記第２現像剤の量を設定する
請求項１または請求項２に記載の画像形成装置。
【請求項４】
前記制御部は、前記操作部で前記第１モードを受け付けるとともに前記媒体の種類として厚紙の設定を受け付けた場合には、前記操作部で前記第１モードを受け付けるとともに前記媒体の種類としてフィルムの設定を受け付けた場合よりも、前記第２現像剤の量を多くする
請求項３に記載の画像形成装置。
【請求項５】
前記定着部は、前記転写部によって転写された前記第２現像剤像を前記媒体に定着させた後に、前記転写部によって前記第２現像剤像の上に転写された前記第１現像剤像を前記媒体に定着させる
請求項３または請求項４に記載の画像形成装置。
【請求項６】
前記操作部は、前記第２現像剤の濃度の設定を受け付け、
前記制御部は、前記操作部で前記第２現像剤の濃度の設定を受け付けた場合には、前記操作部で受け付けた前記第２現像剤の濃度に応じて前記第２現像剤の量を設定する
請求項１ないし請求項５のいずれか一項に記載の画像形成装置。
【請求項７】
前記第２現像剤は、透明トナーである
請求項１ないし請求項６のいずれか一項に記載の画像形成装置。
【発明の詳細な説明】
【技術分野】
【０００１】
本発明は、媒体に画像（現像剤像）を転写する画像形成装置に関する。
【背景技術】
【０００２】
従来のプリンタ、複写機、ファクシミリ装置、複合機等における画像形成装置では、搬送される媒体に、画像（現像剤像）が転写されたのち、転写された画像（現像剤像）が媒体上に加熱定着される（例えば特許文献１参照）。
【先行技術文献】
【特許文献】
【０００３】
【特許文献１】特開２０１４−１０６４１３号公報
【発明の概要】
【発明が解決しようとする課題】
【０００４】
今後、様々な印刷条件に対応できる定着性能が求められる。
【０００５】
本発明はかかる問題点に鑑みてなされたもので、その目的は、様々な印刷条件において定着性能を向上させることの可能な画像形成装置を提供することにある。
【課題を解決するための手段】
【０００６】
本発明の第１の側面としての画像形成装置は、第１現像剤により第１潜像を現像する第１画像形成ユニットと、第１現像剤と比べて低彩色または高光透過性の第２現像剤により第２潜像を現像する第２画像形成ユニットとを備えている。この画像形成装置は、さらに、第１画像形成ユニットによって第１潜像が現像されることにより形成された第１現像剤像と、第２画像形成ユニットによって第２潜像が現像されることにより形成された第２現像剤像とを媒体に転写する転写部と、媒体の種類または定着温度に応じて、第２現像剤像の量を制御する制御部とを備えている。この画像形成装置は、さらに、第２現像剤像、第１現像剤像の順に積層された積層現像剤像を媒体に定着させる定着部と、第１現像剤像の光沢度に対応するモードの入力を受け付ける操作部とを備えている。ここで、制御部は、定着部の定着温度と、第２現像剤の量とを制御する。具体的には、制御部は、第１光沢度に対応する第１モードを受け付けた場合は、定着温度を第１定着温度に設定し、第１光沢度よりも高い光沢度である第２光沢度に対応する第２モードを受け付けた場合は、定着温度を、第１定着温度よりも高い第２定着温度に設定する。制御部は、さらに、第１モードにおいても第２モードにおいても、第２画像形成ユニットによって、第２現像剤像を形成し、第１モードを受け付けた場合の第２現像剤の量を、第２モードを受け付けた場合の第２現像剤の量よりも多くする。
本発明の第２の側面としての画像形成装置は、第１現像剤により第１潜像を現像する第１画像形成ユニットと、第１現像剤と比べて低彩色または高光透過性の第２現像剤により第２潜像を現像する第２画像形成ユニットとを備えている。この画像形成装置は、さらに、第１画像形成ユニットによって第１潜像が現像されることにより形成された第１現像剤像と、第２画像形成ユニットによって第２潜像が現像されることにより形成された第２現像剤像とを媒体に転写する転写部を備えている。この画像形成装置は、さらに、第２現像剤像、第１現像剤像の順に積層された積層現像剤像を媒体に定着させる定着部と、定着部の定着温度と、第２現像剤の量とを制御する制御部と、第１現像剤像の光沢度に対応するモードの入力を受け付ける操作部とを備えている。ここで、制御部は、第１光沢度に対応する第１モードを受け付けた場合は、定着温度を第１定着温度に設定し、第１光沢度よりも高い光沢度である第２光沢度に対応する第２モードを受け付けた場合は、定着温度を、第１定着温度よりも高い第２定着温度に設定する。制御部は、さらに、第１モードにおいても第２モードにおいても、第２画像形成ユニットによって、第２現像剤像を形成し、第１モードを受け付けた場合の第２現像剤の量を、第２モードを受け付けた場合の第２現像剤の量よりも多くする。
【発明の効果】
【０００７】
本発明の第１および第２の側面としての画像形成装置によれば、様々な印刷条件において定着性能を向上させることができる。
【図面の簡単な説明】
【０００８】
【図１】本発明の一実施の形態に係る画像形成装置の概略構成例を表す模式図である。
【図２】図１の画像形成ユニットの概略構成例を表す模式図である。
【図３】トナー軟化温度の一例を表す図である。
【図４Ａ】転写ベルト上の積層トナー像の一例を表す断面図である。
【図４Ｂ】媒体上の積層トナー像の一例を表す断面図である。
【図５】図１の画像形成装置の制御機構の一例を表す模式図である。
【図６】設定テーブルの一例を表す図である。
【図７Ａ】媒体Ｐとして普通紙が選択されたときの、転写ベルト上の積層トナー像の一例を表す断面図である。
【図７Ｂ】媒体Ｐとして厚紙が選択されたときの、転写ベルト上の積層トナー像の一例を表す断面図である。
【図７Ｃ】媒体Ｐとしてフィルムが選択されたときの、転写ベルト上の積層トナー像の一例を表す断面図である。
【図８Ａ】媒体Ｐとして普通紙が選択されたときの、媒体上の積層トナー像の一例を表す断面図である。
【図８Ｂ】媒体Ｐとして厚紙が選択されたときの、媒体上の積層トナー像の一例を表す断面図である。
【図８Ｃ】媒体Ｐとしてフィルムが選択されたときの、媒体上の積層トナー像の一例を表す断面図である。
【図９】図１の画像形成装置の印刷動作手順の一例を表す流れ図である。
【図１０】設定テーブルの一変形例を表す図である。
【図１１】設定テーブルの一変形例を表す図である。
【図１２】設定テーブルの一変形例を表す図である。
【図１３】図１の画像形成装置の概略構成の一変形例を表す模式図である。
【図１４】図１、図１３の画像形成装置における、画像形成部３０および転写部４０の概略構成の一変形例を表す図である。
【発明を実施するための形態】
【０００９】
以下、本発明の実施の形態について、図面を参照して詳細に説明する。以下の説明は本発明の一具体例であって、本発明は以下の態様に限定されるものではない。また、本発明は、各図に示す各構成要素の配置や寸法、寸法比などについても、それらに限定されるものではない。なお、説明は、以下の順序で行う。
１．実施の形態
間接転写方式を用いた例
２．変形例
変形例１〜３：設定テーブルのバリエーション
変形例４：定着を２回に分けた例
変形例５：直接転写方式を用いた例
変形例６：種々の変形例
【００１０】
＜１．実施の形態＞
【００１１】
［構成］
図１は、本発明の一実施の形態に係る画像形成装置１の概略構成例を模式的に表したものである。画像形成装置１は、例えば用紙などの媒体Ｐに対して、電子写真方式を用いてカラー画像を形成するプリンタである。媒体Ｐは、本発明の「媒体」の一具体例に対応する。画像形成装置１は、給紙部１０、搬送部２０、画像形成部３０、転写部４０、定着部５０、排出部６０および反転部７０を備えている。給紙部１０、搬送部２０、画像形成部３０、転写部４０、定着部５０、排出部６０および反転部７０は、筐体１００の内部に設けられている。転写部４０が、本発明の「転写部」の一具体例に対応する。定着部５０が、本発明の「定着部」の一具体例に対応する。
【００１２】
本明細書では、媒体ＰＭが搬送される通路を搬送路（例えば、後述の搬送路ＰＷ１〜ＰＷ４）という。搬送路において、任意の構成要素から見て給紙部１０へ向かう方向または給紙部１０により近い位置を搬送路の上流という。搬送路において、任意の構成要素から見て給紙部１０へ向かう方向とは反対の方向または給紙部１０からより離れた位置を搬送路の下流という。搬送路において、媒体Ｐが進行する方向（つまり、搬送路の上流から搬送路の下流に向かう方向）を搬送方向Ｆ１という。
【００１３】
以下では、給紙部１０と搬送部２０とをつなぐ搬送路、搬送部２０における媒体Ｐの搬送路、搬送部２０と転写部４０とをつなぐ搬送路、転写部４０と定着部５０とをつなぐ搬送路、および定着部５０と排出部６０とをつなぐ搬送路を搬送路ＰＷ１という。排出部６０内の搬送路を搬送路ＰＷ２という。排出部６０と反転部７０とをつなぐ搬送路、および反転部７０内の所定の搬送路を搬送路ＰＷ３という。反転部７０内において搬送路ＰＷ３に連結された搬送路を搬送路ＰＷ４という。搬送路ＰＷ４は、搬送路ＰＷ１にも連結されている。
【００１４】
（給紙部１０の構成）
給紙部１０は、媒体Ｐを１枚ずつ搬送路ＰＷ１へ供給するものである。給紙部１０は、例えば、給紙トレイ１１およびピックアップローラ１２を有している。給紙トレイ１１には、複数の媒体Ｐが積層された状態で収容される。給紙トレイ１１は、例えば、画像形成装置１の下部に着脱自在に装着されている。ピックアップローラ１２は、給紙トレイ１１に収容された媒体Ｐを搬送部２０へ供給するようになっている。ピックアップローラ１２は、後述のプロセス制御部３００による制御を受けて、媒体Ｐが搬送路ＰＷ１に繰り出される向きに回転動作するようになっている。
【００１５】
（搬送部２０の構成）
搬送部２０は、媒体Ｐを搬送路ＰＷ１に沿って転写部４０へ搬送するとともに斜行規制するものである。搬送部２０は、給紙部１０よりも搬送路ＰＷ１の下流に配置されている。搬送部２０は、例えば、搬送ローラ対２１およびレジストローラ対２２を有している。搬送ローラ対２１およびレジストローラ対２２は、搬送方向Ｆ１に向かって、搬送ローラ対２１、レジストローラ対２２の順に配置されている。
【００１６】
搬送ローラ対２１は、媒体Ｐを搬送路ＰＷ１に沿って搬送方向Ｆ１に搬送するものである。搬送ローラ対２１は、プロセス制御部３００による制御を受けて、媒体Ｐが搬送方向Ｆ１に搬送される向きに回転動作するようになっている。レジストローラ対２２は、媒体Ｐに対して斜行規制を行うものである。レジストローラ対２２は、プロセス制御部３００による制御を受けて、媒体Ｐが搬送方向Ｆ１に搬送される向きに回転動作するとともに媒体Ｐに対して斜行規制を行うようになっている。
【００１７】
（画像形成部３０の構成）
画像形成部３０は、後述の感光ドラム３１の周面３１Ａに画像（トナー像）を形成するものである。画像形成部３０は、例えば、５つの画像形成ユニットを有している。５つの画像形成ユニットは、例えば、図１に示したように、画像形成ユニット３０Ｙ，３０Ｍ，３０Ｃ，３０Ｋ，３０ＣＬによって構成されている。画像形成ユニット３０Ｙ，３０Ｍ，３０Ｃ，３０Ｋが、本発明の「第１画像形成ユニット」の一具体例に対応する。画像形成ユニット３０ＣＬが、本発明の「第２画像形成ユニット」の一具体例に対応する。
【００１８】
図２は、画像形成ユニット３０Ｙ，３０Ｍ，３０Ｃ，３０Ｋ，３０ＣＬの概略構成例を模式的に表したものである。画像形成ユニット３０Ｙ，３０Ｍ，３０Ｃ，３０Ｋは、それぞれ対応する各色のトナー３７Ａ、すなわち、イエロートナー、マゼンタトナー、シアントナーおよびブラックトナーにより、感光ドラム３１の周面３１Ａに静電潜像Ｉａを現像し、それにより、各色のトナー像Ｉｂを形成するものである。トナー３７Ａが、本発明の「第１現像剤」の一具体例に対応する。静電潜像Ｉａが、本発明の「第１潜像」の一具体例に対応する。トナー像Ｉｂが、本発明の「第１現像剤像」の一具体例に対応する。
【００１９】
画像形成ユニット３０ＣＬは、トナー３７Ａと比べて低彩色または高光透過性のトナー３７Ｂ、例えば、透明トナーにより、感光ドラム３１の周面３１Ａに静電潜像Ｉｃを現像し、それにより、トナー像Ｉｄを形成するものである。トナー３７Ｂが、本発明の「第２現像剤」の一具体例に対応する。静電潜像Ｉｃが、本発明の「第２潜像」の一具体例に対応する。トナー像Ｉｄが、本発明の「第２現像剤像」の一具体例に対応する。
【００２０】
画像形成ユニット３０Ｙ，３０Ｍ，３０Ｃ，３０Ｋ，３０ＣＬは、例えば、後述の転写ベルト４１の回転方向Ｆ２に向かって、画像形成ユニット３０Ｙ、画像形成ユニット３０Ｍ、画像形成ユニット３０Ｃ、画像形成ユニット３０Ｋ、画像形成ユニット３０ＣＬの順に配置されている。画像形成ユニット３０Ｙ，３０Ｍ，３０Ｃ，３０Ｋ，３０ＣＬは、ともに、共通の要素で構成されている。
【００２１】
画像形成ユニット３０Ｙ，３０Ｍ，３０Ｃ，３０Ｋ，３０ＣＬは、例えば、感光ドラム３１、帯電ローラ３２、ＬＥＤ（Light Emitting Diode）ヘッド３３、現像ローラ３４、供給ローラ３５、カートリッジ３６、規制ブレード３８およびクリーニングブレード３９を有している。画像形成ユニット３０Ｙ，３０Ｍ，３０Ｃ，３０Ｋにおいては、カートリッジ３６にトナー３７Ａが充填される。画像形成ユニット３０ＣＬにおいては、カートリッジ３６にトナー３７Ｂが充填される。
【００２２】
感光ドラム３１は、感光体（例えば有機系感光体）を含む周面３１Ａを有しており、静電潜像Ｉａ，Ｉｃを周面３１Ａに担持可能な円柱状の部材である。具体的には、感光ドラム３１は、導電性支持体と、その外周（表面）を覆う光導電層とを有する。導電性支持体は、例えば、アルミニウムからなる金属パイプにより構成されている。光導電層は、例えば、電荷発生層および電荷輸送層を順に積層した構造を有する。感光ドラム３１は、プロセス制御部３００による制御を受けて、所定の周速度で、転写ベルト４１が回転方向Ｆ２に回転する向きに回転動作するようになっている。
【００２３】
帯電ローラ３２は、感光ドラム３１の周面３１Ａを帯電させる部材（帯電部材）である。帯電ローラ３２は、感光ドラム３１の周面３１Ａに接するように配置されており、周面３１Ａと対向して配置されている。帯電ローラ３２は、例えば、ステンレスからなる金属シャフトと、その外周（表面）を覆う半導電性の弾性層（例えば、半導電性エピクロロヒドリンゴム層）とを有している。帯電ローラ３２は、例えば、感光ドラム３１からの駆動伝達によって、感光ドラム３１とは逆向きに回転動作するようになっている。帯電ローラ３２の帯電部材には、プロセス制御部３００から帯電電圧が印加される。
【００２４】
ＬＥＤヘッド３３は、プロセス制御部３００による制御を受けて、帯電ローラ３２によって帯電した周面３１Ａの帯電領域を露光することにより、周面３１Ａの帯電領域に静電潜像Ｉａ，Ｉｃを形成するようになっている。ＬＥＤヘッド３３は、帯電ローラ３２よりも、感光ドラム３１の回転方向における下流の位置において周面３１Ａと対向して配置されている。ＬＥＤヘッド３３は、感光ドラム３１の幅方向に並ぶ複数個のＬＥＤ発光部を有する。各ＬＥＤ発光部は、例えば、照射光を発する発光ダイオードなどの光源と、その照射光を感光ドラム３１の表面に結像させるレンズアレイとを含んで構成されている。
【００２５】
現像ローラ３４は、トナー３７Ａ，３７Ｂを表面に担持する部材であり、トナー３７Ａ，３７Ｂにより静電潜像Ｉａ，Ｉｃを現像するようになっている。現像ローラ３４は、感光ドラム３１の周面３１Ａに接するように配置されており、ＬＥＤヘッド３３よりも、感光ドラム３１の回転方向における下流の位置において周面３１Ａと対向して配置されている。現像ローラ３４は、例えば、ステンレスからなる金属シャフトと、その外周（表面）を覆う半導電性の弾性層（例えば、半導電性ウレタンゴム層）とを有している。現像ローラ３４は、例えば、感光ドラム３１からの駆動伝達によって、感光ドラム３１とは逆向きに回転動作するようになっている。現像ローラ３４の表面には、プロセス制御部３００から現像電圧が印加される。
【００２６】
供給ローラ３５は、現像ローラ３４に対してトナー３７Ａ，３７Ｂを供給するための部材（供給部材）であり、現像ローラ３４の表面（周面）に接するように配置されている。供給ローラ３５は、例えば、ステンレスからなる金属シャフトと、その外周（表面）を覆う発泡性の弾性層（例えば、シリコーンゴム層）とを有している。供給ローラ３５は、例えば、現像ローラ３４からの駆動伝達によって、現像ローラ３４とは逆向きに回転動作するようになっている。供給ローラ３５の表面には、プロセス制御部３００から供給電圧が印加される。
【００２７】
カートリッジ３６は、トナー３７Ａ，３７Ｂが収容される容器である。画像形成ユニット３０Ｙでは、カートリッジ３６内にはイエローのトナー３７Ａが収容される。画像形成ユニット３０Ｍにおけるカートリッジ３６内にはマゼンダのトナー３７Ａが収容される。画像形成ユニット３０Ｃにおけるカートリッジ３６内にはシアンのトナー３７Ａが収容される。画像形成ユニット３０Ｋにおけるカートリッジ３６内にはブラックのトナー３７Ａが収容される。画像形成ユニット３０ＣＬにおけるカートリッジ３６内にはトナー３７Ａと比べて低彩色または高光透過性のトナー３７Ｂが収容される。
【００２８】
規制ブレード３８は、現像ローラ３４の表面に担持されたトナー３７Ａ，３７Ｂの層厚を規制するものである。規制ブレード３８は、例えば、ＳＵＳ（Steel Use Stainless）薄板からなる。クリーニングブレード３９は、感光ドラム３１の表面に残留したトナー３７Ａ，３７Ｂを掻き取るものである。クリーニングブレード３９は、例えば、可撓性のゴム材又はプラスチック材からなる。
【００２９】
図３は、各カートリッジ３６に充填されるトナー３７Ａ，３７Ｂの軟化温度Ｔｓの一例を表したものである。軟化温度Ｔｓとは、材料の軟化点の温度を指している。図３において、“Ｋ”は、ブラックのトナー３７Ａを指している。“Ｃ”は、シアンのトナー３７Ａを指している。“Ｍ”は、マゼンダのトナー３７Ａを指している。“Ｙ”は、イエローのトナー３７Ａを指している。“ＣＬ”は、トナー３７Ｂを指している。トナー３７Ｂの軟化温度Ｔｓは、図３に示したように、いずれのトナー３７Ａの軟化温度Ｔｓよりも低くなっている。つまり、トナー３７Ｂは、いずれのトナー３７Ａの定着温度よりも低い定着温度の材料で構成されている。
【００３０】
トナー３７Ｂの流出開始温度Ｔｆ及び溶融温度Ｔｍが、いずれのトナー３７Ａの流出開始温度Ｔｆ及び溶融温度Ｔｍよりも低くなっていてもよい。つまり、トナー３７Ｂは、いずれのトナー３７Ａの流出開始温度Ｔｆ及び溶融温度Ｔｍよりも低い流出開始温度Ｔｆ及び溶融温度Ｔｍの材料で構成されていてもよい。
【００３１】
トナー３７Ａ，３７Ｂの各熱物性である軟化温度Ｔｓ、流出開始温度Ｔｆ、溶融温度Ｔｍは、流動特性評価装置（株式会社島津製作所製、ＣＦＴ−５００Ｄ、トナー量１．０〔ｇ〕、ダイ径１．０〔ｍｍ〕、ダイ長さ１．０〔ｍｍ〕、荷重１０〔ｋｇ〕、開始温度５０〔℃〕、予熱時間３００〔ｓｅｃ〕、昇温速度３〔℃／ｍｉｎ〕、昇温法）によって測定される。測定で得られた昇温法流動曲線において、トナー３７Ａ，３７Ｂの軟化温度Ｔｓは、内部空隙が消失し１つの相となる温度であり、トナー３７Ａ，３７Ｂの流出開始温度Ｔｆは、トナーが流動状態に変化する温度であり、溶融温度Ｔｍは１／２法によって算出される温度である。
【００３２】
（転写部４０の構成）
転写部４０は、搬送部２０から搬送されてきた媒体Ｐに、トナー像Ｉｂ，Ｉｄを静電的に転写するものである。転写部４０は、媒体Ｐ上に１または複数のトナー像Ｉｂを転写するとともに、トナー像Ｉｂ上にトナー像Ｉｄを転写したのち、トナー像Ｉｂ，Ｉｄが積層された媒体Ｐを定着部５０に搬送するようになっている。トナー像Ｉｂは、画像形成ユニット３０Ｙ，３０Ｍ，３０Ｃ，３０Ｋのうちのいずれかによって、周面３１Ａの静電潜像が現像されることにより形成されたものである。トナー像Ｉｄは、画像形成ユニット３０ＣＬによって、周面３１Ａの静電潜像が現像されることにより形成されたものである。転写部４０は、例えば、転写ベルト４１、転写ベルト４１を駆動する駆動ローラ４２、従動ローラであるテンションローラ４３、複数の一次転写ローラ４４、対向ローラ４５、二次転写ローラ４６、クリーニング部材４７および濃度センサ４８を有している。転写部４０は、各画像形成ユニット３０Ｙ，３０Ｍ，３０Ｃ，３０Ｋ，３０ＣＬにおいて形成されるトナー像Ｉｂ，Ｉｄを、転写ベルト４１の表面に順次転写したのち、転写ベルト４１上のトナー像Ｉｂ，Ｉｄを、搬送部２０から搬送される媒体Ｐに転写する機構である。
【００３３】
図４Ａは、１または複数のトナー像Ｉｂと、トナー像Ｉｄとが転写ベルト４１の表面に順次転写されることにより形成された積層トナー像ＩＬの断面構成の一例を表したものである。図４Ａには、積層トナー像ＩＬとして、イエローのトナー像Ｉｂ、マゼンダのトナー像Ｉｂ、シアンのトナー像Ｉｂおよびトナー像Ｉｄが転写ベルト４１の表面に順次、積層されたものが例示されている。図４Ｂは、転写ベルト４１上の積層トナー像ＩＬが媒体Ｐの表面に転写されたときの、媒体Ｐ上の積層トナー像ＩＬの断面構成の一例を表したものである。転写ベルト４１上では、トナー像Ｉｄが積層トナー像ＩＬの最上層に配置されており、媒体Ｐに接していない。一方、媒体Ｐ上では、トナー像Ｉｄが積層トナー像ＩＬの最下層に配置されており、媒体Ｐに接している。つまり、媒体Ｐ上では、トナー像Ｉｄは、１つのトナー像Ｉｂ、もしくは１または複数のトナー像Ｉｂが積層されたものと、媒体Ｐとの間に配置されている。トナー像Ｉｄは、媒体Ｐ上の積層トナー像ＩＬにおいて、トナー像Ｉｂに対して、接着剤的な下地層としての役割を有している。
【００３４】
転写ベルト４１は、例えば、ポリイミド樹脂などの樹脂材料からなる無端の弾性ベルトである。転写ベルト４１は、駆動ローラ４２、テンションローラ４３および対向ローラ４５によって張設（張架）されるとともに回転可能に支持されている。駆動ローラ４２は、プロセス制御部３００による制御を受けて、転写ベルト４１を回転方向Ｆ２に循環回転させるものである。テンションローラ４３は、付勢部材による付勢力により、転写ベルト４１に負荷される張力を調整するものである。テンションローラ４３は、駆動ローラ４２と同方向へ回転するようになっている。
【００３５】
複数の一次転写ローラ４４は、画像形成ユニット３０Ｙ，３０Ｍ，３０Ｃ，３０Ｋ，３０ＣＬごとに１つずつ割り当てられている。各一次転写ローラ４４は、転写ベルト４１に、感光ドラム３１の周面３１Ａに形成された画像を静電的に転写するものである。各一次転写ローラ４４は、転写ベルト４１の内周面に接触するとともに、感光ドラム３１と対向配置されている。各一次転写ローラ４４は、例えば、金属軸に導電性の弾性体を被覆したものである。各一次転写ローラ４４の表面には、プロセス制御部３００から一次転写電圧が印加される。
【００３６】
対向ローラ４５および二次転写ローラ４６は、互いに対向配置され、転写ベルト４１を挟み込むように配置されている。二次転写ローラ４６は、搬送路ＰＷ１を搬送されてきた媒体Ｐに、転写ベルト４１上のトナー像Ｉｂ，Ｉｄを静電的に転写するものである。二次転写ローラ４６は、例えば、金属製の芯材と、この芯材の外周面に巻き付けるように形成された発泡ゴム層などの弾性層とを有する。対向ローラ４５は、プロセス制御部３００による制御を受けて、転写ベルト４１が移動方向Ｆ２に移動する向きに回転駆動される。二次転写ローラ４６の表面には、プロセス制御部３００から二次転写電圧が印加される。
【００３７】
クリーニング部材４７は、例えば、転写ベルト４１の回転方向Ｆ２において、二次転写ローラ４６よりも下流であって、かつ最上流の画像形成ユニット（画像形成ユニット３０Ｙ）よりも上流に配置されている。クリーニング部材４７は、転写ベルト４１の表面に残留したトナー３７Ａ，３７Ｂを掻き取るものである。クリーニング部材４７は、例えば、可撓性のゴム材又はプラスチック材からなる。
【００３８】
濃度センサ４８は、転写ベルト４１上の非印刷用のトナー像Ｉｂ，Ｉｄの濃度の検知を行うものである。「非印刷用」とは、トナー像Ｉｂ，Ｉｄが媒体Ｐへ印刷されることのないものであることを指している。濃度センサ７０は、コントローラ２００による制御を受けて、印刷開始の前に、転写ベルト４１上の非印刷用のトナー像Ｉｂ，Ｉｄの濃度の検知を行うようになっている。「印刷開始」とは、現像ローラ３４で現像されることにより形成される印刷用のトナー像Ｉｂ，Ｉｄの、媒体Ｐへの印刷を開始する時を指している。「印刷用」とは、トナー像Ｉｂ，Ｉｄが媒体Ｐへ印刷されるものであることを指している。
【００３９】
濃度センサ４８は、例えば、転写ベルト４１上の非印刷用のトナー像Ｉｂ，Ｉｄを照射する発光ダイオード（ＬＥＤ）と、発光ダイオードから発せられた光のうち、転写ベルト４１上の非印刷用のトナー像Ｉｂ，Ｉｄで反射した光（反射光）を受光する受光ダイオードとを有している。受光ダイオードから出力される検知信号は、非印刷用のトナー像Ｉｂ，Ｉｄの濃度と相関を有する反射光の強度に関するものである。濃度センサ４８は、例えば、コントローラ２００から入力された制御信号に基づいて発光ダイオードおよび受光ダイオードを駆動するようになっている。濃度センサ４８は、例えば、受光ダイオードから出力された検知信号を処理して、非印刷用のトナー像Ｉｂ，Ｉｄの濃度データＤｄを出力するようになっている。濃度センサ４８は、転写ベルト４１と対向する位置に配置されている。濃度センサ４８は、例えば、転写ベルト４１の回転方向Ｆ２において、一次転写ローラ４４よりも下流であって、かつ二次転写ローラ４６よりも上流に配置されている。
【００４０】
（定着部５０の構成）
定着部５０は、トナー像Ｉｂ，Ｉｄを、所定の温度で媒体Ｐに定着させるものである。定着部５０は、転写部４０を通過した媒体Ｐ上に転写されたトナー像Ｉｂ，Ｉｄに対し熱および圧力を付与することで、そのトナー像Ｉｂ，Ｉｄを媒体Ｐ上に定着させるようになっている。定着部５０は、転写部４０よりも搬送路ＰＷ１の下流に配置されている。定着部５０は、例えば、上部ローラ５１、下部ローラ５２および温度センサ５３を含んで構成されている。
【００４１】
上部ローラ５１は、上部ローラ５１の内部にハロゲンランプ等の加熱ヒータである熱源を含んで構成されており、媒体Ｐ上のトナー像Ｉｂ，Ｉｄに対して熱を付与する加熱ローラとして機能する。上部ローラ５１は、コントローラ２００による制御を受けて、媒体Ｐが搬送方向Ｆ１に搬送される向きに回転動作するようになっている。上部ローラ５１内の熱源は、プロセス制御部３００による制御を受けて、上部ローラ５１の表面温度を制御するようになっている。下部ローラ５２は、上部ローラ５１との間に圧接部が形成されるように上部ローラ５１と対向して配置されており、媒体Ｐ上のトナー像Ｉｂ，Ｉｄに対して圧力を付与する加圧ローラとして機能する。下部ローラ５２は、弾性体材料からなる表面層を有するとよい。温度センサ５３は、上部ローラ５１の表面温度を検出し、検出した表面温度のデータ（温度データＤｔ）を出力するようになっている。上部ローラ５１内の熱源に印加されるバイアス電圧は、温度センサ５３の出力信号に基づいて設定される。
【００４２】
（排出部６０の構成）
排出部６０は、定着部５０によってトナー像Ｉｂ，Ｉｄが定着された媒体Ｐを外部に排出するものである。排出部６０は、例えば、搬送ローラ対６１，６２，６３と、切替ガイド６４とを有する。搬送ローラ対６１，６２，６３は、搬送路ＰＷ２を介して媒体Ｐを外部に排出し、外部のスタッカ１００Ａにストックさせるようになっている。搬送ローラ対６１，６２，６３は、コントローラ２００による制御を受けて、媒体Ｐが搬送方向Ｆ１に搬送される向きに回転動作するようになっている。搬送ローラ対６１，６２，６３は、さらに、例えば、媒体Ｐをフェイスダウンで外部に排出するようになっている。
【００４３】
（反転部７０の構成）
反転部７０は、切替ガイド６４によって搬送路ＰＷ３へ搬送された媒体Ｐを、裏表反対にして、搬送路ＰＷ１のうち二次転写ローラ４６よりも上流に送り出すものである。反転部７０を介して搬送路ＰＷ１に送り出された媒体Ｐは、給紙部１０から繰り出されたときとは裏表が反対になった状態で、搬送部２０および転写部４０を通過する。つまり、画像形成装置１は、反転部７０の機能によって、両面印刷可能になっている。
【００４４】
反転部７０は、例えば、反転ローラ対７１と、搬送ローラ対７２，７３と、切替ガイド７４とを有する。反転ローラ対７１は、媒体Ｐを、搬送路ＰＷ３のうち、反転用として用いられる部分に一旦、引き込んだ後、切替ガイド７４を介して、搬送路ＰＷ４に送り出すようになっている。反転ローラ対７１は、搬送路ＰＷ３のうち、切替ガイド７４の下流に配置されている。搬送ローラ対７２，７３は、切替ガイド７４を介して搬送路ＰＷ４に送り出された媒体Ｐを搬送路ＰＷ１に送り出すようになっている。搬送ローラ対７２，７３は、搬送路ＰＷ４に配置されている。切替ガイド７４は、コントローラ２００による制御を受けて、媒体Ｐを反転ローラ対７１側に引き込むときには、搬送路ＰＷ３を遮らない位置に移動するようになっている。さらに、切替ガイド７４は、媒体Ｐを搬送路ＰＷ４に引き込むときには、搬送路ＰＷ３を遮ぎるとともに、反転ローラ対７１側から送り出されてきた媒体Ｐが搬送路ＰＷ４に入り込むような位置に移動するようになっている。
【００４５】
（制御機構）
次に、図１に加えて図５を参照して、画像形成装置１の制御機構について説明する。図５は、画像形成装置１の制御機構の一例を、ブロック図で表したものである。
【００４６】
図１および図５に示したように、画像形成装置１は、制御機構として、例えば、コントローラ２００およびプロセス制御部３００を有している。コントローラ２００は、情報処理装置４００から入力された印刷データに基づいて、プロセス制御部３００を介して、給紙部１０、搬送部２０、画像形成部３０、転写部４０、定着部５０、排出部６０および反転部７０を制御するものである。プロセス制御部３００は、コントローラ２００から入力された制御信号に基づいて、給紙部１０、搬送部２０、画像形成部３０、転写部４０、定着部５０、排出部６０および反転部７０を制御するものである。
【００４７】
コントローラ２００は、例えば、ＣＰＵ２０１、ＲＯＭ２０２、ＲＡＭ２０３、操作パネル２０４、ホストＩ／Ｆ２０５および外部Ｉ／Ｆ２０６を有している。ＲＯＭ２０２は、画像形成装置１を動作させるための制御プログラム、初期設定情報、および設定テーブル２０２Ａを格納するための記憶部である。ＲＡＭ２０３は、画像形成装置１を動作させるにあたり必要となるワークを格納するための記憶部である。操作パネル２０４は、例えば、画像形成装置１の状態を表示したり、ユーザに行動を促すための情報を表示したりするようになっている。操作パネル２０４は、例えば、ユーザが表示面に指等を接触させたときに、その接触位置に応じた情報をＣＰＵ２０１に転送するようになっている。ホストＩ／Ｆ２０５は、画像形成装置１に接続された外部の情報処理装置４００から送られてくる印刷データを取り込み、ＣＰＵ２０１に転送するようになっている。外部Ｉ／Ｆ２０６は、ＣＰＵ２０１から送られてくる制御信号をプロセス制御部３００に転送したり、プロセス制御部３００から送られてくるデータ（例えば、温度データＤｔや濃度データＤｄ）をＣＰＵ２０１に転送したりするようになっている。ＣＰＵ２０１は、例えば、内部バス２０７を介して、画像形成装置１内の種々の被制御部品を制御するようになっている。ＣＰＵ２０１は、例えば、ＲＯＭ２０２から読み出した制御プログラム、初期設定情報および設定テーブル２０２Ａと、操作パネル２０４に入力された情報と、外部から入力された印刷データとに基づいて、画像形成装置１の印刷動作を制御するようになっている。
【００４８】
次に、設定テーブル２０２Ａについて説明する。図６は、設定テーブル２０２Ａの一例を表したものである。設定テーブル２０２Ａは、ＲＯＭ２０２から読み出された初期設定情報を、操作パネル２０４に入力された情報に基づいて変更するためのものである。初期設定情報は、媒体Ｐの種類および光沢モードの種類を含んでいる。初期設定情報に含まれる媒体Ｐの種類は、例えば、普通紙となっている。初期設定情報に含まれる光沢モードの種類は、例えば、普通光沢となっている。光沢モードは、定着部５０に設定される定着温度Ｔｔに関係するモードである。光沢モードは、トナー像Ｉｂの光沢度を選択するものである。
【００４９】
設定テーブル２０２Ａは、媒体Ｐの種類および光沢モードの種類に応じて、定着温度およびトナー３７Ｂの濃度α（０％以上１００％以下）が設定されたものである。トナー３７Ｂの濃度αは、印刷画素１つあたりのトナー３７Ｂの印刷面積率および厚さに相関を有するパラメータである。トナー３７Ｂの濃度α＝０％とは、トナー３７Ｂが印刷されないことを指している。トナー３７Ｂの濃度α＝１００％とは、トナー３７Ｂが印刷画素全体に印刷されること、または、トナー３７Ｂが目標厚さとなっていることを指している。トナー３７Ｂの濃度α（０％＜α＜１００％）とは、トナー３７Ｂの印刷面積が１つの印刷画素全体に対してα％となるように、トナー３７Ｂが印刷されること、または、トナー３７Ｂの厚さが目標厚さに対してα％となるように、トナー３７Ｂが印刷されることを指している。
【００５０】
設定テーブル２０２Ａにおいて、媒体Ｐの種類として、普通紙、厚紙、およびフィルムが規定されている。設定テーブル２０２Ａにおいて、光沢モードとして、低光沢、普通光沢、および高光沢が規定されている。設定テーブル２０２Ａにおいて、定着温度Ｔｔは、光沢モードが低光沢のときには低温（例えば温度Ｔ１）に設定されており、光沢モードが普通光沢のときには中温（例えば温度Ｔ２）に設定されており、光沢モードが高光沢のときには高温（例えば、温度Ｔ３）に設定されている。
【００５１】
図７Ａは、媒体Ｐとして普通紙が選択されたときの、転写ベルト４１上の積層トナー像ＩＬの断面構成例を表したものである。図７Ｂは、媒体Ｐとして厚紙が選択されたときの、転写ベルト４１上の積層トナー像ＩＬの断面構成例を表したものである。図７Ｃは、媒体Ｐとしてフィルムが選択されたときの、転写ベルト４１上の積層トナー像ＩＬの断面構成例を表したものである。図８Ａは、媒体Ｐとして普通紙が選択されたときの、媒体Ｐ上の積層トナー像ＩＬの断面構成例を表したものである。図８Ｂは、媒体Ｐとして厚紙が選択されたときの、媒体Ｐ上の積層トナー像ＩＬの断面構成例を表したものである。図８Ｃは、媒体Ｐとしてフィルムが選択されたときの、媒体Ｐ上の積層トナー像ＩＬの断面構成例を表したものである。なお、図７Ａ，図７Ｂ，図７Ｃ，図８Ａ，図８Ｂ，図８Ｃには、印刷画素１つあたりのトナー３７Ｂの印刷面積率の変化によって、トナー像Ｉｄ（トナー３７Ｂ）の濃度αが変化している様子が例示されている。
【００５２】
設定テーブル２０２Ａにおいて、普通紙におけるトナー３７Ｂの濃度αは、光沢モードに依らず、一定値に設定されており、例えば、０％に設定されている。このとき、例えば、図７Ａに示したように、転写ベルト４１上の積層トナー像ＩＬの最上層には、光沢モードに依らず、トナー像Ｉｄ（トナー３７Ｂ）は形成されない。また、例えば、図８Ａに示したように、媒体Ｐ上の積層トナー像ＩＬの最下層には、光沢モードに依らず、トナー像Ｉｄ（トナー３７Ｂ）は形成されない。
【００５３】
設定テーブル２０２Ａにおいて、厚紙におけるトナー３７Ｂの濃度αは、光沢モードが低光沢のときには高濃度（例えば、８０％）に設定されている。このとき、例えば、図７Ｂの左に示したように、転写ベルト４１上の積層トナー像ＩＬの最上層には、濃度８０％のトナー像Ｉｄ（トナー３７Ｂ）が形成される。また、例えば、図８Ｂの左に示したように、媒体Ｐ上の積層トナー像ＩＬの最下層には、濃度８０％のトナー像Ｉｄ（トナー３７Ｂ）が形成される。設定テーブル２０２Ａにおいて、厚紙におけるトナー３７Ｂの濃度αは、光沢モードが中光沢のときには中濃度（例えば、４０％）に設定されている。このとき、例えば、図７Ｂの中央に示したように、転写ベルト４１上の積層トナー像ＩＬの最上層には、濃度４０％のトナー像Ｉｄ（トナー３７Ｂ）が形成される。また、例えば、図８Ｂの中央に示したように、媒体Ｐ上の積層トナー像ＩＬの最下層には、濃度４０％のトナー像Ｉｄ（トナー３７Ｂ）が形成される。設定テーブル２０２Ａにおいて、厚紙におけるトナー３７Ｂの濃度αは、光沢モードが高光沢のときには低濃度（例えば、１０％）に設定されている。このとき、例えば、図７Ｂの右に示したように、転写ベルト４１上の積層トナー像ＩＬの最上層には、濃度１０％のトナー像Ｉｄ（トナー３７Ｂ）が形成される。また、例えば、図８Ｂの右に示したように、媒体Ｐ上の積層トナー像ＩＬの最下層には、濃度１０％のトナー像Ｉｄ（トナー３７Ｂ）が形成される。
【００５４】
設定テーブル２０２Ａにおいて、フィルムにおけるトナー３７Ｂの濃度αは、光沢モードが低光沢のときには高濃度（例えば、６０％）に設定されている。このとき、例えば、図７Ｃの左に示したように、転写ベルト４１上の積層トナー像ＩＬの最上層には、濃度６０％のトナー像Ｉｄ（トナー３７Ｂ）が形成される。また、例えば、図８Ｃの左に示したように、媒体Ｐ上の積層トナー像ＩＬの最下層には、濃度６０％のトナー像Ｉｄ（トナー３７Ｂ）が形成される。設定テーブル２０２Ａにおいて、フィルムにおけるトナー３７Ｂの濃度αは、光沢モードが中光沢のときには中濃度（例えば、３０％）に設定されている。このとき、例えば、図７Ｃの中央に示したように、転写ベルト４１上の積層トナー像ＩＬの最上層には、濃度３０％のトナー像Ｉｄ（トナー３７Ｂ）が形成される。また、例えば、図８Ｃの中央に示したように、媒体Ｐ上の積層トナー像ＩＬの最下層には、濃度３０％のトナー像Ｉｄ（トナー３７Ｂ）が形成される。設定テーブル２０２Ａにおいて、フィルムにおけるトナー３７Ｂの濃度αは、光沢モードが高光沢のときには低濃度（例えば、１０％）に設定されている。このとき、例えば、図７Ｃの右に示したように、転写ベルト４１上の積層トナー像ＩＬの最上層には、濃度１０％のトナー像Ｉｄ（トナー３７Ｂ）が形成される。また、例えば、図８Ｃの右に示したように、媒体Ｐ上の積層トナー像ＩＬの最下層には、濃度１０％のトナー像Ｉｄ（トナー３７Ｂ）が形成される。
【００５５】
コントローラ２００は、ＲＯＭ２０２に格納された初期設定情報、操作パネル２０４からの入力、または、情報処理装置４００から入力された印刷データに含まれる情報に基づいて、媒体Ｐの種類および光沢モードを設定するようになっている。コントローラ２００は、設定した媒体Ｐの種類および光沢モードの種類に応じて、定着温度Ｔｔおよびトナー像Ｉｄ（トナー３７Ｂ）の濃度α（０％以上１００％以下）を設定するようになっている。コントローラ２００は、本発明の「制御部」の一具体例に対応する。具体的には、コントローラ２００は、設定した媒体Ｐの種類および光沢モードの種類に応じて、定着温度Ｔｔおよびトナー像Ｉｄ（トナー３７Ｂ）の濃度α（０％以上１００％以下）を、設定テーブル２０２Ａから読み出すようになっている。
【００５６】
コントローラ２００は、例えば、媒体Ｐとして厚紙を設定し、光沢モードとして普通を設定したときに、定着温度Ｔｔを所定の温度（例えば、温度Ｔ２）に設定するようになっている。コントローラ２００は、例えば、定着温度Ｔｔを所定の温度（例えば、温度Ｔ２）に設定したときに、トナー像Ｉｄ（トナー３７Ｂ）の濃度αを所定の濃度（例えば、４０％）に設定するようになっている。トナー像Ｉｄ（トナー３７Ｂ）の濃度αは、本発明の「第２現像剤像の量」の一具体例に対応する。コントローラ２００は、例えば、媒体Ｐとして厚紙を設定し、光沢モードとして低を設定したときに、定着温度Ｔｔを、光沢モードとして普通を設定したときの温度（例えば、温度Ｔ２）より低い低温（例えば、温度Ｔ１）に設定するようになっている。コントローラ２００は、例えば、定着温度Ｔｔを、光沢モードとして普通を設定したときの温度（例えば、温度Ｔ２）より低い低（例えば、温度Ｔ１）に設定したときに、トナー像Ｉｄ（トナー３７Ｂ）の濃度αを、光沢モードとして低を設定したときの濃度よりも高い濃度（例えば、８０％）に設定するようになっている。「光沢モードとして低を設定したときの濃度よりも高い濃度」は、本発明の「第１の量よりも多い第２の量」の一具体例に対応する。
【００５７】
コントローラ２００は、設定した定着温度Ｔｔおよびトナー像Ｉｄ（トナー３７Ｂ）の濃度αをプロセス制御部３００に出力するようになっている。コントローラ２００は、さらに、濃度センサ４８から得られた濃度データＤｄや、温度センサ５３から得られた温度データＤｔをプロセス制御部３００に出力するようになっている。
【００５８】
次に、プロセス制御部３００について説明する。プロセス制御部３００は、例えば、定着制御部３０１、モータ制御部３０２、高圧制御部３０３および露光制御部３０４を有している。定着制御部３０１は、さらに、上部ローラ５１の温度が、設定した定着温度Ｔｔとなるように、上部ローラ５１内の熱源を制御するようになっている。モータ制御部３０２は、コントローラ２００による制御を受けて、感光ドラム３１や種々のローラを回転させるモータを制御するようになっている。高圧制御部３０３は、コントローラ２００による制御を受けて、帯電電圧、現像電圧、供給電圧、一次転写電圧および二次転写電圧を出力するようになっている。高圧制御部３０３は、トナー像Ｉｂ，Ｉｄの厚さが、目標とする厚さとなるように、濃度センサ４８から得られた濃度データＤｄに基づいて、現像電圧および供給電圧のうち少なくとも一方の電圧を調整するようになっていてもよい。
【００５９】
露光制御部３０４は、コントローラ２００から入力された印刷データのデータ変換を行い、それにより得られた露光データを、画像形成ユニット３０Ｙ，３０Ｍ，３０Ｃ，３０Ｋの各ＬＥＤヘッド３３に出力するようになっている。露光データは、例えば、画素単位で規定された、露光面積率および露光時間を含んでいる。露光制御部３０４は、さらに、コントローラ２００から入力されたトナー像Ｉｄ（トナー３７Ｂ）の濃度αに基づいて、露光データを生成し、生成した露光データを画像形成ユニット３０ＣＬのＬＥＤヘッド３３に出力するようになっている。
【００６０】
露光制御部３０４は、例えば、トナー像Ｉｂ，Ｉｄの厚さが、目標とする厚さとなるように、濃度センサ４８から得られた濃度データＤｄに基づいて、調整パラメータを設定するようになっていてもよい。露光制御部３０４は、例えば、調整パラメータによって補正された後の非印刷用のトナー像Ｉｂ，Ｉｄの濃度を１００％とし、印刷データに応じて、画素単位で露光面積率および露光時間を調整するようになっていてもよい。
【００６１】
［動作］
次に、画像形成装置１の印刷動作について説明する。コントローラ２００は、画像形成装置１に接続された情報処理装置４００から印刷データを受信すると（ステップＳ１０１）、ＲＯＭ２０２から読み出した初期設定情報、操作パネル２０４に入力された情報、または、印刷データに含まれる情報に基づいて、媒体Ｐの種類および光沢モードを設定する（ステップＳ１０２）。コントローラ２００は、設定した媒体Ｐの種類および光沢モードに対応する、定着温度Ｔｔおよびトナー３７Ｂの濃度に設定する。コントローラ２００は、設定した媒体Ｐの種類および光沢モードに対応する、定着温度Ｔｔおよびトナー３７Ｂの濃度αを、設定テーブル２０２Ａから読み出す。
【００６２】
コントローラ２００は、例えば、媒体Ｐとして厚紙を設定し、光沢モードとして普通を設定したときに、定着温度Ｔｔを所定の温度（例えば、温度Ｔ２）に設定する。コントローラ２００は、例えば、定着温度Ｔｔを所定の温度（例えば、温度Ｔ２）に設定したときに、トナー３７Ｂの濃度αを所定の濃度（例えば、４０％）に設定する。コントローラ２００は、例えば、媒体Ｐとして厚紙を設定し、光沢モードとして低を設定したときに、定着温度Ｔｔを、光沢モードとして普通を設定したときの温度（例えば、温度Ｔ２）より低い低温（例えば、温度Ｔ１）に設定する。コントローラ２００は、例えば、定着温度Ｔｔを、光沢モードとして普通を設定したときの温度（例えば、温度Ｔ２）より低い低（例えば、温度Ｔ１）に設定したときに、トナー３７Ｂの濃度αを、光沢モードとして低を設定したときの濃度よりも高い濃度（例えば、８０％）に設定する。
【００６３】
続いて、コントローラ２００は、読み出した定着温度Ｔｔおよびトナー３７Ｂの濃度αと、印刷データとをプロセス制御部３００に送信する。コントローラ２００は、さらに、非印刷用のトナー像Ｉｂ，Ｉｄの濃度計測を濃度センサ４８に指示する。
【００６４】
プロセス制御部３００は、印刷データをコントローラ２００から受信すると、濃度調整を行う。具体的には、プロセス制御部３００は、まず、画像形成部３０、転写部４０に対して、非印刷用のトナー像Ｉｂ，Ｉｄの転写ベルト４１上への転写を指示する。すると、画像形成部３０、転写部４０は、非印刷用のトナー像Ｉｂ，Ｉｄを転写ベルト４１上に転写する。このとき、濃度センサ４８は、コントローラ２００からの濃度計測の指示に従って、転写した非印刷用のトナー像Ｉｂ，Ｉｄの濃度を計測し、計測により得られた濃度データＤｄをコントローラ２００に出力する。コントローラ２００は、濃度センサ４８から得られた濃度データＤｄを高圧制御部３０３および露光制御部３０４に出力する。高圧制御部３０３は、濃度データＤｄが入力されると、トナー像Ｉｂ，Ｉｄの厚さが、目標とする厚さとなるように、濃度データＤｄに基づいて、現像電圧および供給電圧のうち少なくとも一方の電圧を調整する。露光制御部３０４は、濃度データＤｄが入力されると、トナー像Ｉｂ，Ｉｄの厚さが、目標とする厚さとなるように、濃度データＤｄに基づいて、調整パラメータを設定する。このようにして、プロセス制御部３００は、濃度調整を行う。
【００６５】
次に、プロセス制御部３００は、印刷用のトナー像Ｉｂ，Ｉｄの濃度（０％以上１００％以下）の算出を行う（ステップＳ１０３）。具体的には、プロセス制御部３００は、露光制御部３０４に対して、印刷用のトナー像Ｉｂ，Ｉｄの濃度の算出を指示する。すると、露光制御部３０４は、受信した印刷データに基づいて、トナー像Ｉｂの濃度を算出する。さらに、露光制御部３０４は、受信したトナー像Ｉｄの濃度αを、トナー像Ｉｂの濃度とする。さらに、露光制御部３０４は、算出したトナー像Ｉｂの濃度を、非印刷用のトナー像Ｉｂの濃度を１００％としたときの割合に換算し、換算により得られた割合に基づいて、受信した印刷データに対応する露光データを生成する。また、露光制御部３０４は、受信したトナー像Ｉｄの濃度αを、非印刷用のトナー像Ｉｄの濃度を１００％としたときの割合に換算し、換算により得られた割合に基づいて、トナー像Ｉｄに対応する露光データを生成する。
【００６６】
なお、露光制御部３０４は、調整パラメータによって、非印刷用のトナー像Ｉｂ，Ｉｄの濃度を補正してもよい。露光制御部３０４は、例えば、非印刷用のトナー像Ｉｂの濃度を調整パラメータによって補正し、算出したトナー像Ｉｂの濃度を、補正後の非印刷用のトナー像Ｉｂの濃度を１００％としたときの割合に換算してもよい。また、露光制御部３０４は、例えば、非印刷用のトナー像Ｉｄの濃度を調整パラメータによって補正し、受信したトナー像Ｉｄの濃度αを、補正後の非印刷用のトナー像Ｉｄの濃度を１００％としたときの割合に換算してもよい。
【００６７】
次に、プロセス制御部３００は、印刷動作を開始する（ステップＳ１０４）。まず、プロセス制御部３００は、定着部５０に対して、上部ローラ５１の温度制御を指示する。すると、定着部５０は、上部ローラ５１内の熱源を制御して、上部ローラ５１の温度を、定着温度Ｔｔに設定する（ステップＳ１０５）。
【００６８】
次に、プロセス制御部３００は、転写を実行する。まず、プロセス制御部３００は、露光制御部３０４に対して、受信した印刷データに基づく一次転写を指示する。すると、露光制御部３０４は、受信した印刷データに基づいて、画像形成ユニット３０Ｙ，３０Ｍ，３０Ｃ，３０Ｋのうちの少なくとも１つに対して、トナー像Ｉｂの形成を指示する。その結果、指示を受けた画像形成ユニットが、感光ドラム３１の周面３１Ａ上にトナー像Ｉｂを形成し、転写部４０が、周面３１Ａ上のトナー像Ｉｂを転写ベルト４１に転写する（ステップＳ１０６）。続いて、プロセス制御部３００は、トナー像Ｉｄの転写が必要か否か判定する（ステップＳ１０７）。プロセス制御部３００は、トナー像Ｉｄの濃度が０％の場合は、トナー像Ｉｄの転写が必要ないと判定し、後述のステップＳ１０９に進む。プロセス制御部３００は、トナー像Ｉｄの濃度が０％よりも大きい場合は、トナー像Ｉｄの転写が必要であると判定する。このとき、プロセス制御部３００は、露光制御部３０４に対して、トナー像Ｉｄの形成を指示する。すると、画像形成ユニット３０ＣＬが、感光ドラム３１の周面３１Ａ上にトナー像Ｉｄを形成し、転写部４０が、周面３１Ａ上のトナー像Ｉｄを、転写ベルト４１（具体的には、転写ベルト４１上のトナー像Ｉｂの表面）に転写する。このようにして、転写ベルト４１上に、積層トナー像ＩＬが形成される。続いて、プロセス制御部３００は、転写部４０に対して、二次転写を指示する。すると、転写部４０は、転写ベルト４１上の積層トナー像ＩＬを媒体Ｐに転写する（ステップＳ１０９）。このようにして、プロセス制御部３００は、転写を実行する。
【００６９】
次に、プロセス制御部３００は、定着、排出を行う。まず、プロセス制御部３００は、定着部５０に対して、定着動作を指示する。すると、定着部５０は、転写部４０を通過した媒体Ｐ上に転写された積層トナー像ＩＬに対し熱および圧力を付与することにより、積層トナー像ＩＬを媒体Ｐに定着させる（ステップＳ１１０）。続いて、プロセス制御部３００は、排出部６０に対して、排出動作を指示する。すると、排出部６０は、積層トナー像ＩＬが定着された媒体Ｐを外部へ排出する（ステップＳ１１１）。このようにして、画像形成装置１の印刷動作が行われる。
【００７０】
[効果] 
次に、本実施の形態の画像形成装置１の効果について説明する。
【００７１】
従来のプリンタ、複写機、ファクシミリ装置、複合機等における画像形成装置では、搬送される媒体に、トナー像が転写されたのち、転写されたトナー像が媒体上に加熱定着される。トナー像を媒体に定着させる最適な条件は、例えば、媒体の種類や、光沢モードの種類によって異なる。そのため、媒体が厚紙やフィルムのときや、低光沢モードのときには、トナー像が媒体にしっかりと定着せず、媒体から剥がれ落ちてしまうことがあった。また、媒体がフィルムの場合に、高光沢モードに設定し、定着温度を高温にしたときには、フィルムが収縮してしまうこともあった。
【００７２】
しかし、本実施の形態の画像形成装置１では、媒体Ｐの種類に応じて、定着温度Ｔｔおよびトナー３７Ｂの濃度αが設定される。これにより、例えば、定着性の良くない厚紙や、熱に強くないフィルムなどが媒体Ｐとして選択された場合であっても、媒体Ｐの特性に応じた定着温度Ｔｔやトナー３７Ｂの濃度αを選択することとができる。その結果、トナー剥がれを低減することができる。また、本実施の形態では、トナー３７Ｂの軟化温度が、トナー３７Ａの軟化温度よりも低くなっており、さらに、光沢モードの種類に応じて、定着温度Ｔｔおよびトナー３７Ｂの濃度αが設定される。これにより、定着温度Ｔｔとして低温が要求されるモードが選択された場合であっても、トナー３７Ｂが、トナー３７Ａに対して、接着剤的な下地層として機能するので、トナー剥がれを低減することができる。また、本実施の形態では、定着性の良くない媒体Ｐが選択された場合であっても、印刷速度を下げる必要がないので、下部ローラ５２にトナー３７Ａが残留するホットオフセットの発生を防止することができる。
【００７３】
＜２．変形例＞
以下に、上記実施の形態の画像転写装置１の変形例について説明する。なお、以下では、上記実施の形態と共通の構成要素に対しては、上記実施の形態で付されていた符号と同一の符号が付される。また、上記実施の形態と異なる構成要素の説明を主に行い、上記実施の形態と共通の構成要素の説明については、適宜、省略するものとする。
【００７４】
［変形例１］
上記実施の形態では、媒体Ｐの種類および光沢モードの種類に応じて、定着温度Ｔｔおよびトナー３７Ｂの濃度αが設定されていた。しかし、媒体Ｐの種類に応じて、定着温度Ｔｔおよびトナー３７Ｂの濃度αが設定されていてもよい。このとき、設定テーブル２０２Ａは、例えば、図１０に示したように、媒体Ｐの種類に対応して、定着温度Ｔｔおよびトナー３７Ｂの濃度αが設定されたものとなっている。このようにした場合であっても、例えば、定着性の良くない厚紙や、熱に強くないフィルムなどが媒体Ｐとして選択されたときに、媒体Ｐの特性に応じた定着温度Ｔｔやトナー３７Ｂの濃度αを選択することとができる。その結果、トナー剥がれを低減することができる。
【００７５】
［変形例２］
上記実施の形態では、媒体Ｐの種類および光沢モードの種類に応じて、定着温度Ｔｔおよびトナー３７Ｂの濃度αが設定されていた。しかし、定着温度Ｔｔに関係するモードの種類（例えば、光沢モードの種類）に応じて、定着温度Ｔｔおよびトナー３７Ｂの濃度αが設定されていてもよい。このとき、設定テーブル２０２Ａは、例えば、図１１に示したように、定着温度Ｔｔに関係するモードの種類（例えば、光沢モードの種類）に対応して、定着温度Ｔｔおよびトナー３７Ｂの濃度αが設定されたものとなっている。
【００７６】
本変形例では、コントローラ２００は、例えば、光沢モードとして普通を設定したときに、定着温度Ｔｔを所定の温度（例えば、温度Ｔ２）に設定するようになっている。コントローラ２００は、例えば、定着温度Ｔｔを所定の温度（例えば、温度Ｔ２）に設定したときに、トナー３７Ｂの濃度αを所定の濃度（例えば、４０％）に設定するようになっている。コントローラ２００は、例えば、光沢モードとして低を設定したときに、定着温度Ｔｔを、光沢モードとして普通を設定したときの温度（例えば、温度Ｔ２）より低い低温（例えば、温度Ｔ１）に設定するようになっている。コントローラ２００は、例えば、定着温度Ｔｔを、光沢モードとして普通を設定したときの温度（例えば、温度Ｔ２）より低い低（例えば、温度Ｔ１）に設定したときに、トナー３７Ｂの濃度αを、光沢モードとして低を設定したときの濃度よりも高い濃度（例えば、８０％）に設定するようになっている。
【００７７】
本変形例では、定着温度Ｔｔに関係するモードの種類（例えば、光沢モードの種類）に応じて、定着温度Ｔｔおよびトナー３７Ｂの濃度αが設定される。これにより、定着温度Ｔｔとして低温が要求されるモードが選択された場合であっても、トナー３７Ｂが、トナー３７Ａに対して、接着剤的な下地層として機能するので、トナー剥がれを低減することができる。
【００７８】
［変形例３］
上記変形例２では、定着温度Ｔｔに関係するモードの種類（例えば、光沢モードの種類）に応じて、定着温度Ｔｔおよびトナー３７Ｂの濃度αが設定されていた。しかし、単に、定着温度Ｔｔに応じてトナー３７Ｂの濃度αが設定されていてもよい。このとき、設定テーブル２０２Ａは、例えば、図１２に示したように、定着温度Ｔｔに対応してトナー３７Ｂの濃度αが設定されたものとなっている。
【００７９】
本変形例では、コントローラ２００は、例えば、定着温度Ｔｔを所定の温度（例えば、温度Ｔ２）に設定したときに、トナー３７Ｂの濃度αを所定の濃度（例えば、４０％）に設定するようになっている。コントローラ２００は、例えば、定着温度Ｔｔを、トナー３７Ｂの濃度αを所定の濃度（例えば、４０％）に設定したときの温度（例えば、温度Ｔ２）より低い低温（例えば、温度Ｔ１）に設定したときに、トナー３７Ｂの濃度αを、トナー３７Ｂの濃度αを所定の濃度（例えば、４０％）に設定したときの濃度よりも高い濃度（例えば、８０％）に設定するようになっている。
【００８０】
本変形例では、定着温度Ｔｔに応じてトナー３７Ｂの濃度αが設定される。これにより、定着温度Ｔｔが低温に設定された場合であっても、トナー３７Ｂが、トナー３７Ａに対して、接着剤的な下地層として機能するので、トナー剥がれを低減することができる。
【００８１】
［変形例４］
上記実施の形態および変形例１〜３において、切替ガイド７４を迂回する搬送路ＰＷ５を有していてもよい。搬送路ＰＷ５は、媒体Ｐを反転させずに、搬送路ＰＷ１または搬送路ＰＷ４に送り込む通路である。つまり、本変形例の画像転写装置１は、媒体Ｐを反転させずに、搬送路ＰＷ１または搬送路ＰＷ４に送り込む非反転部８０を備えている。非反転部８０は、例えば、図１２に示したように、搬送路ＰＷ５上に搬送ローラ８１を有しており、搬送路ＰＷ５と搬送路ＰＷ３との連結部分に、搬送路ＰＷ３を搬送されてきた媒体Ｐを、搬送路ＰＷ５および搬送路ＰＷ３のいずれか一方に振り分ける切替ガイド８２を有している。なお、図１２には、搬送路ＰＷ５の下流が搬送路ＰＷ４のうち搬送ローラ７３の手前の箇所に連結されている様子が例示されている。
【００８２】
本変形例では、転写部４０は、例えば、媒体Ｐ上にトナー像Ｉｄを転写した後であって、かつ、トナー像Ｉｄ上にトナー像Ｉｂを転写する前に、トナー像Ｉｄが転写された媒体Ｐを定着部５０に搬送するようになっている。非反転部８０は、トナー像Ｉｄが転写された媒体Ｐを、切替ガイド８２によって搬送路ＰＷ５に送り込み、媒体Ｐを反転させずに、搬送路ＰＷ１に送り込むようになっている。転写部８０は、さらに、定着部６０によってトナー像Ｉｄが定着された媒体Ｐの、トナー像Ｉｄ上にトナー像Ｉｂを転写した後、トナー像Ｉｂの転写された媒体Ｐを定着部５０に搬送するようになっている。
【００８３】
このように、本変形例では、非反転部８０を利用することにより、トナー像Ｉｄを媒体Ｐに定着させ後に、トナー像Ｉｂを媒体Ｐに定着させる。従って、本変形例では、定着部６０は、トナー像Ｉｂを温度Ｔａ（第１定着温度）で媒体Ｐに定着させ、トナー像Ｉｄを温度Ｔａよりも低い温度Ｔｂ（第２定着温度）で媒体Ｐに定着させるようになっていてもよい。このようにした場合であっても、定着温度Ｔｔとして低温が要求されるモードが選択されたときに、トナー３７Ｂが、トナー３７Ａに対して、接着剤的な下地層として機能するので、トナー剥がれを低減することができる。
【００８４】
なお、本変形例において、トナー３７Ｂの軟化温度が、トナー３７Ａの軟化温度と等しくなっていてもよい。このようにした場合に、定着部６０は、トナー像Ｉｂおよびトナー像Ｉｄを、同一の定着温度Ｔｔで媒体Ｐに定着させるようになっていてもよい。このようにした場合であっても、定着温度Ｔｔとして低温が要求されるモードが選択されたときに、トナー３７Ｂが、トナー３７Ａに対して、接着剤的な下地層として機能することもある。そのときには、トナー剥がれを低減することができる。
【００８５】
［変形例５］
上記実施の形態および変形例１〜４では、画像転写が間接方式となっていたが、直接方式となっていてもよい。図１３は、上記実施の形態および変形例１〜４の画像形成装置１における、画像形成部３０および転写部４０の概略構成の一変形例を表したものである。本変形例では、上記実施の形態および変形例１〜４の画像形成装置１において、転写ベルト４１、駆動ローラ４２、テンションローラ４３、対向ローラ４５、二次転写ローラ４６およびクリーニング部材４７が省略され、搬送路Ｗ１上に複数の一次転写ローラ４４が配置されている。本変形例では、画像形成ユニット３０Ｙ，３０Ｍ，３０Ｃ，３０Ｋ，３０ＣＬは、搬送方向Ｆ１に向かって、画像形成ユニット３０ＣＬ、画像形成ユニット３０Ｙ、画像形成ユニット３０Ｍ、画像形成ユニット３０Ｃ、画像形成ユニット３０Ｋの順に配置されている。本変形例では、例えば、複数の濃度センサ４８が、各感光ドラム３１の周面３１Ａと対向する位置に１つずつ配置されている。このように、本変形例では、上記実施の形態および変形例１〜４と比べて、画像転写方式が異なるだけなので、上記実施の形態および変形例１〜４と同様、トナー剥がれを低減することができる。
【００８６】
［変形例６］
以下に、種々の変形例について説明する。
【００８７】
上記実施の形態およびその変形例では、４色の画像形成ユニット３０Ｙ，３０Ｍ，３０Ｃ，３０Ｋが用いられていた。しかし、上記実施の形態および変形例１〜４において、例えば３色以下もしくは５色以上の画像形成ユニットが用いられていてもよい。上記実施の形態および変形例１〜４では、ＬＥＤヘッド３３が用いられていた。しかし、上記実施の形態およびその変形例において、ＬＥＤヘッド３３の代わりに、または、ＬＥＤヘッド３３とともに、レーザ素子等が用いられてもよい。
【００８８】
上記実施の形態およびその変形例において説明した一連の処理は、ハードウェア（回路）で行われてもよいし、ソフトウェア（プログラム）で行われてもよい。上記一連の処理がソフトウェアで行われる場合、そのソフトウェアは、各機能をコンピュータにより実行させるためのプログラム群で構成される。各プログラムは、例えば、上記コンピュータに予め組み込まれて用いられてもよいし、ネットワークや記録媒体から上記コンピュータにインストールして用いられてもよい。
【００８９】
上記実施の形態およびその変形例では、カラーの電子写真プリンタを例に挙げて、本発明の一実施の形態について説明が行われた。しかし、本発明は、カラー機やプリンタへの適用に限定されるものではく、搬送される媒体上に画像形成する画像形成装置全般に適用することの可能なものである。本発明は、例えば、モノクロコピー機、カラーコピー機、モノクロＭＦＰ、カラーＭＦＰなどに適用可能なものである。
【符号の説明】
【００９０】
１…画像形成装置、１０…給紙部、１１…給紙トレイ、１２…ピックアップローラ、２０…搬送部、２１…搬送ローラ対、２２…レジストローラ対、３０…画像形成部、３０Ｙ，３０Ｍ，３０Ｃ，３０Ｋ，３０ＣＬ…画像形成ユニット、３１…感光ドラム、３１Ａ…周面、３２…帯電ローラ、３３…ＬＥＤヘッド、３４…現像ローラ、３５…供給ローラ、３６…カートリッジ、３７Ａ，３７Ｂ…トナー、３８…規制ブレード、３９…クリーニングブレード、４０…転写部、４１…転写ベルト、４２…駆動ローラ、４３…テンションローラ、４４…一次転写ローラ、４５…対向ローラ、４６…二次転写ローラ、４７…クリーニング部材、５０…定着部、５１…上部ローラ、５２…下部ローラ、５３…温度センサ、６０…排出部、６１，６２，６３…搬送ローラ対、６４…切替ガイド、７０…反転部、７１…反転ローラ対、７２，７３…搬送ローラ対、７４…切替ガイド、８０…非反転部、８１…搬送ローラ対、８２…切替ガイド、１００…筐体、１００Ａ…スタッカ、２００…コントローラ、２０１…ＣＰＵ、２０２…ＲＯＭ、２０２Ａ…設定テーブル、２０３…ＲＡＭ、２０４…操作パネル、２０５…ホストＩ／Ｆ、２０６…外部Ｉ／Ｆ、２０７…内部バス、３００…プロセス制御部、３０１…定着制御部、３０２…モータ制御部、３０３…高圧制御部、３０４…露光制御部、４００…情報処理装置、Ｆ１…搬送方向、Ｆ２…回転方向、Ｉａ，Ｉｃ…静電潜像、Ｉｂ，Ｉｄ…トナー像、ＩＬ…積層トナー像、Ｐ…媒体、ＰＷ１，ＰＷ２，ＰＷ３，ＰＷ４，ＰＷ５…搬送路、Ｔ１，Ｔ２，Ｔ３…温度、Ｔｓ…軟化温度、Ｔｔ…定着温度、α…濃度。
【図１】
0006445910.tif 000002
【図２】
0006445910.tif 000003
【図３】
0006445910.tif 000004
【図４Ａ】
0006445910.tif 000005
【図４Ｂ】
0006445910.tif 000006
【図５】
0006445910.tif 000007
【図６】
0006445910.tif 000008
【図７Ａ】
0006445910.tif 000009
【図７Ｂ】
0006445910.tif 000010
【図７Ｃ】
0006445910.tif 000011
【図８Ａ】
0006445910.tif 000012
【図８Ｂ】
0006445910.tif 000013
【図８Ｃ】
0006445910.tif 000014
【図９】
0006445910.tif 000015
【図１０】
0006445910.tif 000016
【図１１】
0006445910.tif 000017
【図１２】
0006445910.tif 000018
【図１３】
0006445910.tif 000019
【図１４】
0006445910.tif 000020